(57)【要約】【課題】円筒フィンが配設された空間を流通する冷却流体の圧力損失を低減して熱伝達効率を向上させつつ、生産効率を高め実用化を図り得る熱交換器の円筒フィンユニット製造方法を提供する。【解決手段】傾斜ビード部形成工程で、矩形形状の金属薄板８に傾斜ビード部９を、縦辺Ｖ方向及び横辺Ｈ方向へ複数形成し、円筒フィンパネル加工工程で、金属薄板８を曲げ加工することにより、傾斜ビード部９が螺旋状ビードとして周面に形成される円筒部４ａと、その接線方向へ延在する平板部４ｂとを形成して円筒フィンパネル４Ａを形成し、円筒フィンユニット組付工程で、一枚の円筒フィンパネル４Ａの円筒部４ａをもう一枚の円筒フィンパネル４Ａの円筒部４ａ間にその軸線方向へ挿入することにより、二枚の円筒フィンパネル４Ａの平板部４ｂ間に円筒部４ａが配置される円筒フィンユニットを形成する。【選択図】図１
2014202419.tif 000002
【特許請求の範囲】
【請求項１】
互いに所要間隔をあけて積層され且つ内部に被冷却流体が流通する複数の偏平チューブと、該複数の偏平チューブの間に配設され且つ周面に螺旋状ビードが形成された複数の円筒フィンとを備え、前記複数の偏平チューブの間に冷却流体を円筒フィンの軸線方向へ流通させて前記偏平チューブ内の被冷却流体と熱交換させる熱交換器の円筒フィンユニット製造方法であって、
前記円筒フィンの軸線方向を矩形の縦辺として設定し且つ前記円筒フィンの軸線と直角方向を矩形の横辺として設定した矩形形状の金属薄板に、前記縦辺方向へ斜めに延びる傾斜ビード部を、前記縦辺方向へ所要間隔をあけて複数形成すると共に前記横辺方向へ所要間隔をあけて複数形成する傾斜ビード部形成工程と、
該傾斜ビード部形成工程で傾斜ビード部が形成された金属薄板を曲げ加工することにより、前記縦辺方向へ所要間隔をあけて形成された複数の傾斜ビード部の終点と始点とがつながり前記螺旋状ビードとして周面に形成される円筒部と、該円筒部の接線方向へ延在する平板部とが前記横辺方向へ交互に連なる円筒フィンパネルを形成する円筒フィンパネル加工工程と、
該円筒フィンパネル加工工程で形成された一枚の円筒フィンパネルの円筒部をもう一枚の円筒フィンパネルの円筒部間にその軸線方向へ挿入することにより、前記一枚の円筒フィンパネルの平板部と、もう一枚の円筒フィンパネルの平板部との間に前記円筒部が配置される円筒フィンユニットを形成する円筒フィンユニット組付工程と
を有することを特徴とする熱交換器の円筒フィンユニット製造方法。
【請求項２】
前記円筒フィンユニット組付工程で形成された円筒フィンユニットを前記平板部が重なり合うよう複数積層する積層工程を有する請求項１記載の熱交換器の円筒フィンユニット製造方法。
【請求項３】
請求項１又は２記載の熱交換器の円筒フィンユニット製造方法を用いた熱交換器。
【発明の詳細な説明】
【技術分野】
【０００１】
本発明は、熱交換器の円筒フィンユニット製造方法及び該製造方法を用いた熱交換器に関するものである。
【背景技術】
【０００２】
一般に、車両に搭載される熱交換器としてのラジエータは、図６に示される如く、互いに所要間隔をあけて積層され且つ内部に冷却液（被冷却流体）が流通する複数の偏平チューブ１と、該複数の偏平チューブ１の間に配設されて両側の偏平チューブ１の平面２に接する波状のコルゲートフィン３とを備えており、エンジン（図示せず）を冷却して高温となった冷却液が前記偏平チューブ１内へ導かれ、車両の走行によって生じる風や冷却ファン（図示せず）で発生させた風（冷却流体）を前記コルゲートフィン３が配設された空間へ流通させ、該コルゲートフィン３及び偏平チューブ１を介して高温の冷却液を冷却するようになっている。
【０００３】
ところで、近年、車両の排ガス規制の強化によりエンジンへの負荷が増加する傾向にあり、ラジエータの熱伝達効率を高めて冷却性能を向上させることが強く求められている。
【０００４】
このため、従来においては、前記コルゲートフィン３を用いた熱交換器としてのラジエータにおいては、コルゲートフィン３にルーバーを設けることにより、放熱面積を増加させて熱伝達効率の向上を図ろうとするものがあった。
【０００５】
しかし、前記コルゲートフィン３にルーバーを設けることにより熱伝達効率を向上させるのでは、該コルゲートフィン３が配設された空間を流通する風の圧力損失が増加して熱伝達効率を充分に向上させることができないという問題があった。
【０００６】
こうした問題を解決するものとして、本出願人は、既に特許文献１に開示されている熱交換器を出願した。この熱交換器は、図７に示される如く、互いに所要間隔をあけて積層され且つ内部に冷却液（被冷却流体）が流通する複数の偏平チューブ１の間に、外周面５から凹んで内周面６に突出する螺旋状ビード７が形成された複数の円筒フィン４を配設し、前記複数の偏平チューブ１の間に前記風（冷却流体）を円筒フィン４の軸線方向へ流通させて前記偏平チューブ１内の冷却液と熱交換させるようにしたものである。
【０００７】
そして、特許文献１に開示されている熱交換器においては、前記複数の偏平チューブ１の間で円筒フィン４の軸線方向へ流通する風が、該円筒フィン４の螺旋状ビード７により旋回流となるので、風の流通する距離と滞留時間が延長される形となり、コルゲートフィン３による層流の冷却に比べて熱伝達効率を向上することができる。又、ルーバー付きコルゲートフィンに比べて圧損を大幅に低減し、熱伝達効率を向上することができる。
【先行技術文献】
【特許文献】
【０００８】
【特許文献１】特開２００９−１２７８９５号公報
【発明の概要】
【発明が解決しようとする課題】
【０００９】
しかしながら、特許文献１に開示されている熱交換器の円筒フィン４は、多数のパイプを偏平チューブ１の間でろう付けする必要があり、該ろう付け用のパウダーを多数のパイプに付着させた状態で、該パウダーの脱落を防止しながらパイプを偏平チューブ１の間に差し込むことは、非常に生産効率が悪く、製造面で実用化に至っていないのが現状であった。
【００１０】
本発明は、上記従来の問題点に鑑みてなしたもので、円筒フィンが配設された空間を流通する冷却流体の圧力損失を低減して熱伝達効率を向上させつつ、生産効率を高め実用化を図り得る熱交換器の円筒フィンユニット製造方法及び該製造方法を用いた熱交換器を提供しようとするものである。
【課題を解決するための手段】
【００１１】
本発明は、互いに所要間隔をあけて積層され且つ内部に被冷却流体が流通する複数の偏平チューブと、該複数の偏平チューブの間に配設され且つ周面に螺旋状ビードが形成された複数の円筒フィンとを備え、前記複数の偏平チューブの間に冷却流体を円筒フィンの軸線方向へ流通させて前記偏平チューブ内の被冷却流体と熱交換させる熱交換器の円筒フィンユニット製造方法であって、
前記円筒フィンの軸線方向を矩形の縦辺として設定し且つ前記円筒フィンの軸線と直角方向を矩形の横辺として設定した矩形形状の金属薄板に、前記縦辺方向へ斜めに延びる傾斜ビード部を、前記縦辺方向へ所要間隔をあけて複数形成すると共に前記横辺方向へ所要間隔をあけて複数形成する傾斜ビード部形成工程と、
該傾斜ビード部形成工程で傾斜ビード部が形成された金属薄板を曲げ加工することにより、前記縦辺方向へ所要間隔をあけて形成された複数の傾斜ビード部の終点と始点とがつながり前記螺旋状ビードとして周面に形成される円筒部と、該円筒部の接線方向へ延在する平板部とが前記横辺方向へ交互に連なる円筒フィンパネルを形成する円筒フィンパネル加工工程と、
該円筒フィンパネル加工工程で形成された一枚の円筒フィンパネルの円筒部をもう一枚の円筒フィンパネルの円筒部間にその軸線方向へ挿入することにより、前記一枚の円筒フィンパネルの平板部と、もう一枚の円筒フィンパネルの平板部との間に前記円筒部が配置される円筒フィンユニットを形成する円筒フィンユニット組付工程と
を有することを特徴とする熱交換器の円筒フィンユニット製造方法にかかるものである。
【００１２】
前記熱交換器の円筒フィンユニット製造方法においては、前記円筒フィンユニット組付工程で形成された円筒フィンユニットを前記平板部が重なり合うよう複数積層する積層工程を有することが好ましい。
【００１３】
一方、本発明は、前記熱交換器の円筒フィンユニット製造方法を用いた熱交換器にかかるものである。
【発明の効果】
【００１４】
本発明の熱交換器の円筒フィンユニット製造方法及び該製造方法を用いた熱交換器によれば、円筒フィンが配設された空間を流通する冷却流体の圧力損失を低減して熱伝達効率を向上させつつ、生産効率を高め実用化を図り得るという優れた効果を奏し得る。
【図面の簡単な説明】
【００１５】
【図１】本発明の熱交換器の円筒フィンユニット製造方法の実施例における傾斜ビード部形成工程で傾斜ビード部が形成された金属薄板を示す平面図と、続く円筒フィンパネル加工工程で形成された円筒フィンパネルを示す正面図である。
【図２】図１のＩＩ部拡大図である。
【図３】本発明の熱交換器の円筒フィンユニット製造方法の実施例における円筒フィンユニット組付工程で互いに挿入される円筒フィンパネルを示す平面図と、組み付けられた円筒フィンユニットを示す正面図である。
【図４】本発明の熱交換器の円筒フィンユニット製造方法で製造された熱交換器の一例を示す斜視図である。
【図５】本発明の熱交換器の円筒フィンユニット製造方法において更に積層工程を加えることにより製造された熱交換器の他の例を示す正面図である。
【図６】従来の熱交換器としてのラジエータの一例を示す斜視図である。
【図７】特許文献１に記載されている熱交換器を示す斜視図である。
【発明を実施するための形態】
【００１６】
以下、本発明の実施の形態を添付図面を参照して説明する。
【００１７】
図１〜図４は本発明の熱交換器の円筒フィンユニット製造方法及び該製造方法を用いた熱交換器の実施例であって、図中、図７と同一の符号を付した部分は同一物を表わしており、基本的な構成は図７に示す従来のものと同様であるが、本実施例の特徴とするところは、図１〜図４に示す如く、傾斜ビード部形成工程と円筒フィンパネル加工工程と円筒フィンユニット組付工程とを経て円筒フィンユニット４Ｕを製造するようにした点にある。
【００１８】
前記傾斜ビード部形成工程においては、図１に示す如く、円筒フィン４の軸線方向を矩形の縦辺Ｖとして設定し且つ前記円筒フィン４の軸線と直角方向を矩形の横辺Ｈとして設定した矩形形状のアルミニウム等の金属薄板８に、前記縦辺Ｖ方向へ斜めに延びる傾斜ビード部９を、前記縦辺Ｖ方向へ所要間隔をあけて複数（図１の例では二条）形成すると共に前記横辺Ｈ方向へ所要間隔をあけて複数（図１の例では四組）形成するようになっている。
【００１９】
前記円筒フィンパネル加工工程においては、図１に示す如く、前記傾斜ビード部形成工程で傾斜ビード部９が形成された金属薄板８を曲げ加工することにより、前記縦辺Ｖ方向へ所要間隔をあけて形成された複数（図１の例では二条）の傾斜ビード部９の終点９ｅと始点９ｓとがつながり螺旋状ビード７（図３及び図７参照）として周面に形成される外径φｄの円筒部４ａと、該円筒部４ａの接線方向へ延在する平板部４ｂとが前記横辺Ｈ方向へ交互に連なる円筒フィンパネル４Ａを形成するようになっている。尚、前記円筒部４ａと平板部４ｂとの間には、図２に示す如く、金属薄板８を曲げ加工する際に生じる絞り部４ｃが形成され、該絞り部４ｃにより、前記平板部４ｂの円筒部４ａ側表面と該円筒部４ａの中心との距離ｈは、ｈ＞ｄ／２となるようにしてある。
【００２０】
ここで、前記円筒部４ａの中心間距離Ｐは、
Ｐ＝２ｄ−α
とし、αは前記円筒部４ａの外径φｄに応じて設定される微小値としてある。
【００２１】
尚、前記螺旋状ビード７は、前記円筒部４ａの外周面側から凹んで内周面側に突出するよう形成してある。
【００２２】
前記円筒フィンユニット組付工程においては、図３に示す如く、前記円筒フィンパネル加工工程で形成された一枚の円筒フィンパネル４Ａの円筒部４ａをもう一枚の円筒フィンパネル４Ａの円筒部４ａ間にその軸線方向へ挿入することにより、前記一枚の円筒フィンパネル４Ａの平板部４ｂと、もう一枚の円筒フィンパネル４Ａの平板部４ｂとの間に前記円筒部４ａが配置される円筒フィンユニット４Ｕを形成するようになっている。
【００２３】
ここで、図１及び図２に示す如く、２前記絞り部４ｃにより前記平板部４ｂの円筒部４ａ側表面と該円筒部４ａの中心との距離ｈは、ｈ＞ｄ／２とすると共に、前記円筒部４ａの中心間距離Ｐは、
Ｐ＝２ｄ−α
としてあるため、前記円筒フィンパネル加工工程で形成された一枚の円筒フィンパネル４Ａの円筒部４ａをもう一枚の円筒フィンパネル４Ａの円筒部４ａ間にその軸線方向へ挿入して組み付けることが可能となっており、しかも、互いに組み付けた二枚の円筒フィンパネル４Ａが円筒部４ａの軸線方向と直角で且つ平板部４ｂと直交する方向へ離脱することはない。
【００２４】
そして、前記円筒フィンユニット組付工程で形成された円筒フィンユニット４Ｕを一体物として、図４に示す如く、偏平チューブ１の間に差し込むようにするだけで熱交換器の製造が行えるようになる。
【００２５】
この結果、本実施例における方法を用いて熱交換器を製造すれば、特許文献１に開示されている熱交換器の円筒フィン４のように、多数のパイプを偏平チューブ１の間でろう付けする必要がなくなり、該ろう付け用のパウダーを多数のパイプに付着させた状態で、該パウダーの脱落を防止しながらパイプを偏平チューブ１の間に差し込むようなこともしなくて済み、生産効率が非常に良くなり、製造面で実用化が可能となる。
【００２６】
こうして、円筒フィン４が配設された空間を流通する冷却流体の圧力損失を低減して熱伝達効率を向上させつつ、生産効率を高め実用化を図り得る。
【００２７】
因みに、本実施例における方法では、図５に示す如く、前記円筒フィンユニット組付工程で形成された円筒フィンユニット４Ｕを前記平板部４ｂが重なり合うよう複数（図５の例では二組）積層する積層工程を追加することも可能であり、このようにすれば、必要に応じて円筒フィンユニット４Ｕの積層数を選定し、放熱面積を調節して熱伝達効率をより向上させる上で有効となる。
【００２８】
尚、本発明の熱交換器の円筒フィンユニット製造方法及び該製造方法を用いた熱交換器は、上述の実施例にのみ限定されるものではなく、熱交換器は車両のラジエータに限らず車両以外の他の機器にも適用可能なこと等、その他、本発明の要旨を逸脱しない範囲内において種々変更を加え得ることは勿論である。
【符号の説明】
【００２９】
１    偏平チューブ
４    円筒フィン
４Ａ  円筒フィンパネル
４Ｕ  円筒フィンユニット
４ａ  円筒部
４ｂ  平板部
４ｃ  絞り部
７    螺旋状ビード
８    金属薄板
９    傾斜ビード部
９ｅ  終点
９ｓ  始点
Ｖ    縦辺
Ｈ    横辺
【図１】
2014202419.tif 000003
【図２】
2014202419.tif 000004
【図３】
2014202419.tif 000005
【図４】
2014202419.tif 000006
【図５】
2014202419.tif 000007
【図６】
2014202419.tif 000008
【図７】
2014202419.tif 000009